(57)【要約】【課題】演奏の自由度向上が図られた電子打楽器を提供する。【解決手段】電子打楽器は、第１〜第３の枝部が中央部で結合したＹ形状を持つ筐体と、第１〜第３の枝部、及び中央部にそれぞれ配置され、打撃される第１〜第４のパッドとを有する。【選択図】図１
2011053279.tif 000002
【特許請求の範囲】
【請求項１】
第１〜第３の枝部が中央部で結合したＹ形状を持つ筐体と、
前記第１〜第３の枝部、及び前記中央部にそれぞれ配置され、打撃される第１〜第４のパッドと
を有する電子打楽器。
【請求項２】
さらに、前記第３の枝部の開放端部上面に配置された操作子を有する請求項１に記載の電子打楽器。
【請求項３】
前記第１〜第３の枝部に配置された前記第１〜第３のパッドの配置面に対して、前記中央部に配置された前記第４のパッドが低く配置されている請求項１または２に記載の電子打楽器。
【発明の詳細な説明】
【技術分野】
【０００１】
本発明は、電子打楽器に関する。
【背景技術】
【０００２】
電子楽器の１種として、パッドを打撃して演奏を行なう電子打楽器が用いられている（例えば、特許文献１参照）。
【０００３】
電子打楽器において、演奏の自由度を高めることが望まれる。
【先行技術文献】
【特許文献】
【０００４】
【特許文献１】特許第３８１２４１５号公報
【発明の概要】
【発明が解決しようとする課題】
【０００５】
本発明の一目的は、演奏の自由度向上が図られた電子打楽器を提供することである。
【課題を解決するための手段】
【０００６】
本発明の一観点によれば、第１〜第３の枝部が中央部で結合したＹ形状を持つ筐体と、前記第１〜第３の枝部、及び前記中央部にそれぞれ配置され、打撃される第１〜第４のパッドとを有する電子打楽器が提供される。
【発明の効果】
【０００７】
Ｙ形状を持つ筐体、及びその第１〜第３の枝部と中央部に配置されたパッドにより、例えば音色配置の自由度を高め、また例えば拡張性を高め、その他例えばユーザの保持性を高めることができ、演奏自由度の向上が図られる。
【図面の簡単な説明】
【０００８】
【図１】図１Ａ及び図１Ｂは、それぞれ、本発明の第１の実施例の電子打楽器の斜視図及び側面図である。
【図２】図２は、第１の実施例の電子打楽器の概略平面図である。
【図３】図３Ａは、第２の実施例の電子打楽器の斜視図であり、図３Ｂは、第２の実施例の変形例の電子打楽器の斜視図である。
【図４】図４Ａ及び図４Ｂは、第２の実施例の電子打楽器の突き合わせ部分を示す概略平面図である。
【図５】図５Ａは、実施例のＹ形状電子打楽器を裏面側から見た概略平面図であり、図５Ｂは、保持用凹部を示す概略斜視図である。
【図６】図６Ａは、第３の実施例の電子打楽器の概略平面図であり、図６Ｂは、嵌め合い構造例の概略平面図である。
【図７】図７は、第４の実施例の立奏スタイルの概略正面図である。
【発明を実施するための形態】
【０００９】
まず、本発明の第１の実施例による電子打楽器について説明する。
【００１０】
図１Ａ及び図１Ｂは、それぞれ、第１の実施例の電子打楽器の斜視図及び側面図である。図１Ａに示すように、第１の実施例の電子打楽器は、３本の枝部Ｂ１〜Ｂ３が中央部Ｂ４で結合したＹ形状の筐体ＣＳを有する。３本の枝部Ｂ１〜Ｂ３は、およそ１２０度間隔で配置されている。
【００１１】
枝部Ｂ１〜Ｂ３上と中央部Ｂ４上に、それぞれ、被打撃部であるパッドＰ１〜Ｐ４が配置されている。
【００１２】
筐体ＣＳ内に、制御回路、楽音発生回路、スピーカ等が配置されている。各パッドに所望の音色をアサインしパッドへの打撃に基づき発音を行なう動作等、電子打楽器として動作させるために、公知の適当な技術を採用することができる。例えば、特開平９−３１９３７０号公報の［発明の実施の形態］の欄、特許３８１２４１５号公報の［発明の実施の形態］の欄等の開示を参考にすることができる。
【００１３】
実施例の電子打楽器は、枝部Ｂ３が、枝部Ｂ１、Ｂ２よりも長い。枝部Ｂ３の、パッドＰ３を挟んで結合側と反対側（開放側）の端部上面に、各種操作子群や、操作状態を示すディスプレイを含む操作部ＯＰが配置されている。４つのパッドＰ１〜Ｐ４を含むパッド群の配置領域の外側に配置されることにより、操作部ＯＰが演奏の邪魔になりにくく、また、演奏時に誤って操作してしまうことが抑制される。
【００１４】
操作部ＯＰは、音色選択スイッチＳＴを含む。音色選択スイッチＳＴとして、例えば回転スイッチが用いられ、例えば１回転で一巡して同一音色に戻るように、選択できる音色が配置される。
【００１５】
スピーカＳＰが、中央部のパッドとある枝部上のパッド（例えば枝部Ｂ３のパッドＰ３）との間に配置され、放音孔が、中央部のパッドと枝部上のパッドとの間に、少なくともスピーカＳＰ上で配置される。隣接パッド間の領域が、放音部として有効に利用される。
【００１６】
第１の実施例の電子打楽器は、机上面等の平面上に載置され、操作部ＯＰの手前にユーザが位置して演奏する使用態様が想定されている。例えば、パッドＰ３にバスドラム、パッドＰ１、パッドＰ４、及びパッドＰ２にそれぞれ、ハイタム、ミッドタム、ロータムを配置するような音色アサイン例が考えられる。ユーザにより、所望のパッドが、スティック、マレット、手等で打撃され、打撃に基づき、当該パッドにアサインされた音色の音が発音される。
【００１７】
以後、操作部ＯＰの手前からユーザが見た配置を基準配置として、枝部Ｂ１を左側枝部、枝部Ｂ２を右側枝部、枝部Ｂ３を手前側枝部と呼び、パッドＰ１を左側パッド、パッドＰ２を右側パッド、パッドＰ３を手前側パッド、パッドＰ４を中央パッドと呼ぶこととする。
【００１８】
さらに、図２を参照して、第１の実施例の電子打楽器におけるパッド配置の利点について説明する。図２は、第１の実施例の電子打楽器の概略平面図である。
【００１９】
第１の実施例の電子打楽器では、各枝部Ｂ１〜Ｂ３上にパッドＰ１〜Ｐ３が配置され、中央部Ｂ４上にパッドＰ４が配置されていることにより、中央パッドＰ４を通る３通りの方向（左側パッドＰ１−中央パッドＰ４−手前側パッドＰ３をつなぐ方向Ｄ１、左側パッドＰ１−中央パッドＰ４−右側パッドＰ２をつなぐ方向Ｄ２、及び、右側パッドＰ２−中央パッドＰ４−手前側パッドＰ３をつなぐ方向Ｄ３）が生成される。
【００２０】
ユーザは、方向性を与えて配置したい音色（例えば音程順に並べたい音色、例えばハイタム、ミッドタム、ロータム）を、方向Ｄ１〜Ｄ３のうち、演奏がしやすい等、好みの方向に沿って配置することができる。上述の例では、左側パッドＰ１−中央パッドＰ４−右側パッドＰ２をつなぐ方向Ｄ２で、ハイタム、ミッドタム、ロータムを配置している。
【００２１】
第１の実施例で説明したように、Ｙ形状の筐体構造の中央部と各枝部に配置したパッド配置により、方向性を持つ音色配置を、自由度高く設定しやすい。
【００２２】
なお、図１Ｂに示すように、平面上に載置した状態で、筐体ＣＳの上面は、手前側から奥側に向かって高くなるように傾斜している。また、枝部上のパッドＰ１〜Ｐ３の配置面に対して（パッドＰ１〜Ｐ３の面の高さに対して）、中央部のパッドＰ４は低い位置に配置されている。このような、中央部のパッドＰ４が、そのまわりのパッドＰ１〜Ｐ３に対して低い構造により、演奏がしやすい。
【００２３】
次に、第２の実施例による電子打楽器について説明する。第２の実施例の電子打楽器は、第１の実施例の電子打楽器（これをＹ形状電子打楽器と呼ぶこととする）を２台並べたものである。
【００２４】
図３Ａは、第２の実施例の電子打楽器の斜視図である。２台のＹ形状電子打楽器Ｙ１、Ｙ２が、それぞれスタンドＳＴＮＤ１、ＳＴＮＤ２に保持されている。第１のＹ形状電子打楽器Ｙ１の右側枝部Ｂ２の開放端面と、第２のＹ形状電子打楽器Ｙ２の左側枝部Ｂ１の開放端面とが突き合わされて、２台のＹ形状電子打楽器Ｙ１、Ｙ２が並べられている。
【００２５】
このような突き合わせ配置により、突き合せられた両枝部が真っ直ぐにつながったような一体的形態で、２台のＹ形状電子打楽器を同時使用することができる。
【００２６】
第１のＹ形状電子打楽器Ｙ１の手前側枝部Ｂ３と右側枝部Ｂ２と、第２のＹ形状電子打楽器Ｙ２の左側枝部Ｂ１と手前側枝部Ｂ３とに囲まれるスペースにユーザが入って演奏することが想定されている。
【００２７】
２台並べて使用するとき、このように演奏者を取り囲むような形態にできるので、演奏がしやすい。
【００２８】
２台のＹ形状電子打楽器を、枝部を突き合わせて並べることにより、例えば、左側のＹ形状電子打楽器Ｙ１の手前側パッドＰ３−中央パッドＰ４−右側パッドＰ２の３パッドをつなぐ方向と、右側のＹ形状電子打楽器Ｙ２の左側パッドＰ１−中央パッドＰ４−手前側パッドＰ３の３パッドをつなぐ方向とがつなげられて、６パッドをつなぐ方向が生成される。
【００２９】
２台のＹ形状電子打楽器をこのように並べての使用は、例えば、方向性を与えて４音色以上を配置したい場合に好ましい。例えば、左側のＹ形状電子打楽器Ｙ１の手前側パッドＰ３−中央パッドＰ４−右側パッドＰ２、及び、右側のＹ形状電子打楽器Ｙ２の左側パッドＰ１−中央パッドＰ４−手前側パッドＰ３の６パッドに、音程順にティンパニの音色を配置し、左側Ｙ形状電子打楽器Ｙ１の左側パッドＰ１にトライアングル、右側Ｙ形状電子打楽器Ｙ２の右側パッドＰ２にシンバルを配置するような音色アサイン例が考えられる。
【００３０】
なお、その他例えば、左側のＹ形状電子打楽器Ｙ１の、手前側パッドＰ３−中央パッドＰ４−右側パッドＰ２にボンゴ、左側パッドＰ１にギロ、右側のＹ形状電子打楽器Ｙ２の、左側パッドＰ１−中央パッドＰ４−手前側パッドＰ３にアゴゴ、右側パッドＰ２にカウベルを配置するような音色アサイン例等が考えられる。
【００３１】
このように、２台のＹ形状電子打楽器を、枝部を突き合わせて一体的形態で使用することにより、演奏しやすく、かつ音色配置の自由度をさらに高められる。
【００３２】
次に、図４Ａを参照して、一体感を高めて並べやすい枝部形状について説明する。図４Ａは、左側Ｙ形状電子打楽器の右側枝部Ｂ２と右側Ｙ形状電子打楽器の左側枝部Ｂ１の、突き合わせ部分を示す概略平面図である。
【００３３】
実施例のＹ形状電子打楽器は、左右の枝部Ｂ１とＢ２が、中央部に関し左右対称な形状であり、枝部Ｂ１及びＢ２（の開放端部近傍）が、平面視上、同一幅の矩形形状である。これにより、２台のＹ形状電子打楽器の枝部Ｂ１とＢ２とを突き合わせたとき、両枝部の長さ方向に延在する辺同士が一直線上に並び、さらに、両枝部の幅方向に延在する辺同士が重なって、一体感が高まる。
【００３４】
なお、図４Ｂに示すように、枝部の幅方向に延在する辺は直線状でなく、中央部側に凹んだ形状とすることも可能である。左右の枝部Ｂ１及びＢ２が少なくとも端部において一定幅で、突き合わされる両枝部で幅が等しいことにより、両枝部の長さ方向に延在する辺同士を一直線上に並べることができ、一体感を高められる。
【００３５】
図３Ｂは、第２の実施例の変形例の電子打楽器の斜視図である。本変形例は、第２の実施例の、左側のＹ形状電子打楽器Ｙ１を、スタンドＳＴＮＤ１上で時計回りに１２０度回転させ、右側のＹ形状電子打楽器Ｙ２を、スタンドＳＴＮＤ２上で反時計回りに１２０度回転させて、左側のＹ形状電子打楽器Ｙ１の枝部Ｂ１と、右側のＹ形状電子打楽器Ｙ２の枝部Ｂ２とを突き合せた配置である。
【００３６】
左側Ｙ形状電子打楽器Ｙ１の枝部Ｂ２と枝部Ｂ１と、右側Ｙ形状電子打楽器Ｙ２の枝部Ｂ２と枝部Ｂ１とに囲まれるスペースにユーザが入って演奏することが想定されている。
【００３７】
本変形例のような配置としても、第２の実施例と同様に、２台のＹ形状電子打楽器を一体的形態で並べられるので、演奏しやすく、かつ音色配置の自由度をさらに高められる。
【００３８】
なお、本変形例で突き合わせに用いられず余っている枝部（左側のＹ形状電子打楽器Ｙ１の枝部Ｂ２、右側のＹ形状電子打楽器Ｙ２の枝部Ｂ１）に、他のＹ形状電子打楽器の枝部を突き合わせて、３台以上のＹ形状電子打楽器を並べた使用態様も考えられる。
【００３９】
第２の実施例及びその変形例で説明したように、Ｙ形状の筐体構造、及び、中央部と各枝部に配置したパッド配置構造は、複数のＹ形状電子打楽器を一体的に並べて使用するのを容易にする（拡張性を高める）という観点からも好ましい。
【００４０】
ここで、Ｙ形状電子打楽器をスタンドに保持するための保持構造について説明する。Ｙ形状電子打楽器に設けられる保持構造、及びスタンドとして、例えば、特開２００８−１５８０８６号公報の［発明を実施するための最良の形態］の欄（特に、段落［００４７］〜［００５３］）に開示されているものを採用することができる。
【００４１】
図５Ａは、Ｙ形状電子打楽器を裏面側から見た概略平面図である。Ｙ形状電子打楽器の筐体ＣＳの裏面に、３箇所の保持用凹部Ｃ１〜Ｃ３が設けられている。保持用凹部Ｃ１〜Ｃ３は、例えば、中央のパッドＰ４の中心を中心とする正三角形の頂点上に配置されており、各枝部Ｂ１〜Ｂ３に、１つずつ保持用凹部Ｃ１〜Ｃ３が設けられている。
【００４２】
図５Ｂは、代表的に１つの保持用凹部Ｃ１を示す概略斜視図である。保持用凹部Ｃ１は、壁部に係止爪ＣＬを有し、保持用凹部Ｃ１に嵌入されたスタンドの先端が、係止爪ＣＬに食い込んで、保持が安定化される。
【００４３】
次に、第３の実施例による電子打楽器について説明する。第２の実施例の電子打楽器は、スタンドに保持した２台のＹ形状電子打楽器を、一体的形態となるよう、特に接続はせずに並べたものであった。第３の実施例の電子打楽器は、第２の実施例の電子打楽器において、並べられたＹ形状電子打楽器同士を相互に固定する接続構造を付加したものである。
【００４４】
図６Ａは、第３の実施例による電子打楽器の概略平面図である。第３の実施例のＹ形状電子打楽器は、左右枝部Ｂ１、Ｂ２の開放端面に嵌め合い構造が設けられている。例えば、右側枝部Ｂ２の開放端面に、凸部ＦＡが設けられており、左側枝部Ｂ１の開放端面に、凸部ＦＡが嵌め込まれる形状の凹部ＦＢが設けられている。
【００４５】
図６Ｂは、嵌め合い構造の凸部ＦＡまたは凹部ＦＢを示す、枝部Ｂ２またはＢ１の開放端面に垂直な視線で見た、概略平面図である。枝部Ｂ２の開放端面上に、輪状に凸部ＦＡが形成されている。あるいは、枝部Ｂ１の開放端面上に、輪状に凹部ＦＢが形成されている。
【００４６】
輪状の凸部または凹部とすることにより、接続構造の凸部または凹部が目立ちにくいので、枝部Ｂ２とＢ１の形状の非対称性を目立ちにくくできる。
【００４７】
輪状の凸部ＦＡ及び凹部ＦＢを目立ちにくくするには、例えば、これらの幅を１ｍｍ〜５ｍｍ程度に細くし、またこれらの出っ張り高さ及び引っ込み深さを０．５ｍｍ〜３ｍｍ程度に小さくすることが好ましい。
【００４８】
図６Ａに戻って説明を続ける。第３の実施例のＹ形状電子打楽器は、嵌め合い構造に加えて、さらに、左右枝部Ｂ１、Ｂ２の開放端側面にパッチン錠を有する。例えば、右側枝部Ｂ２の開放端両側面に、掛け金を有するパッチン錠の本体ＬＡが設けられており、左側枝部Ｂ１の開放端両側面に、パッチン錠のフックＬＢが設けられている。なお、パッチン錠は、フックに止められていない状態でも掛け金がぶらつかない構造のものが好ましい。
【００４９】
第３の実施例で説明したように、接続構造を付加することにより、固定的な接続を行なって、複数並べたＹ形状電子打楽器の一体性をより高められる。
【００５０】
なお、嵌め合い構造、パッチン錠に限らず、その他、一対の構造が協同して固定的な接続状態を形成する接続構造を採用することができる。一対の構造の一方をオス型構造、他方をメス型構造と呼ぶこととする。左右の枝部の、一方側の枝部の開放端部にオス型構造が設けられ、他方側の枝部の開放端部にメス型構造が設けられる。これにより、突き合わせられた第１のＹ形状電子打楽器の一方側枝部と第２のＹ形状電子打楽器の他方側枝部とを、固定的に接続することができる。
【００５１】
次に、第４の実施例による電子打楽器について説明する。第１の実施例、第２の実施例は、それぞれ、Ｙ形状電子打楽器を、平面上に載置して演奏する使用態様、スタンドに保持して演奏する使用態様であった。第４の実施例は、Ｙ形状電子打楽器を、ユーザが保持して演奏する使用態様である。
【００５２】
図７は、立奏スタイルの概略正面図である。この例では、ストラップＳＴＲＰの両端が、手前側枝部Ｂ３端部と左側枝部Ｂ１端部のストラップ取り付け部ＣＳＴＲに取り付けられており、ユーザがストラップＳＴＲＰを、左側枝部Ｂ１側で肩に掛けて立奏する。
【００５３】
ユーザは、例えば、左側枝部Ｂ１を左手で支えて、右手で所望のパッドＰ１〜Ｐ４を打撃して演奏を行なう。ユーザから見て右端に、手前側枝部Ｂ３端部の操作部ＯＰが配置され、右手での操作が容易である。
【００５４】
立奏スタイルとしては、また例えば、以下のようなものも考えられる。ストラップの両端が、右側枝部端部と手前側枝部端部に取り付けられており、ユーザがストラップを、手前側枝部側で肩に掛けて立奏する。
【００５５】
ユーザは、例えば、手前側枝部を左手で支えて、右手で所望のパッドを打撃して演奏を行なう。ユーザから見て左端に、手前側枝部端部の操作部が配置され、左手での操作が容易である。
【００５６】
このようにストラップを用いた立奏スタイルは、例えば、ライブパフォーマンスでステージ上を動きながらの打楽器演奏を容易にする等、演奏表現の自由度を高める。
【００５７】
なお、立奏に限らず、座奏することもできる。例えば、左右枝部がつながる叉部を大腿で保持し、手前側枝部を一方の手で支えて、他方の手でパッドを打撃して演奏することができる。立奏・座奏スタイルはこれらに限らず、ユーザが自由に選ぶことができる。なお、必要に応じて、両手での打撃を行なうこともできる。
【００５８】
第４の実施例で説明したように、Ｙ形状の筐体構造（及び中央部と各枝部に配置したパッド配置構造）は、枝部や叉部をユーザが保持しやすいという利点も有し、立奏スタイルや座奏スタイルでの演奏もしやすくし、演奏自由度向上に寄与する。
【００５９】
以上実施例に沿って本発明を説明したが、本発明はこれらに制限されるものではない。例えば、種々の変更、改良、組み合わせ等が可能なことは当業者に自明であろう。
【符号の説明】
【００６０】
ＣＳ  筐体
Ｂ１  左側枝部
Ｂ２  右側枝部
Ｂ３  手前側枝部
Ｂ４  中央部
Ｐ１  左側パッド
Ｐ２  右側パッド
Ｐ３  手前側パッド
Ｐ４  中央パッド
ＯＰ  操作部
ＳＴ  音色選択スイッチ（操作子）
ＳＰ  スピーカ
Ｃ１〜Ｃ３  保持用凹部
ＳＴＮＤ１、２  スタンド
ＦＡ  嵌め合い構造の凸部
ＦＢ  嵌め合い構造の凹部
ＬＡ  パッチン錠の本体
ＬＢ  パッチン錠のフック
ＣＳＴＲ  ストラップ取り付け部
ＳＴＲＰ  ストラップ
【図１】
2011053279.tif 000003
【図２】
2011053279.tif 000004
【図３】
2011053279.tif 000005
【図４】
2011053279.tif 000006
【図５】
2011053279.tif 000007
【図６】
2011053279.tif 000008
【図７】
2011053279.tif 000009